(57)【要約】【課題】番組録画の際に記録動作が中断されることを予防する電子機器および情報記録プログラムを提供することにある。【解決手段】まず、予約した録画開始時刻Ｘ秒前になると（Ｓ１１）、ＴＶビュワ１６０を起動し、更新プログラム制御部１６２Ｂは、ソフトウェア更新プログラム１６５を一時停止する（Ｓ１２）。次に、録画予約開始時刻になると（Ｓ１３）、録画予約部１６２Ａは、録画予約情報１５０を読み込んで、書込実行部１６２Ｃへコマンドを送信することで録画開始時刻に記録を始める（Ｓ１４）。次に、予約録画の停止時刻になると（Ｓ１５）、録画予約部１６２Ａは、書込実行部１６２Ｃへコマンドを送信することで録画を停止する（Ｓ１６）。次に、更新プログラム制御部１６２Ｂは、ソフトウェア更新プログラム１６５の一時停止を解除する（Ｓ１７）。【選択図】図４
2008054060.tif 000002
【特許請求の範囲】
【請求項１】
録画開始時刻を指定して番組の録画を予約する録画予約部と、
ソフトウェアのインストール完了後に電子機器を再起動するソフトウェア更新部と、
前記録画開始時刻より所定の時間前に、前記ソフトウェア更新部を一時停止する更新制御部とを有することを特徴とする電子機器。
【請求項２】
前記更新制御部は、前記所定の時間として３０秒以上を設定して、前記ソフトウェア更新部を一時停止することを特徴とする請求項１に記載の電子機器。
【請求項３】
前記更新制御部は、前記ソフトウェア更新部が動作中のときは動作を一時停止し、前記ソフトウェア更新部が待機中のときは前記ソフトウェア更新部の起動動作を禁止することを特徴とする請求項１に記載の電子機器。
【請求項４】
前記更新制御部は、前記録画が完了した後に前記ソフトウェア更新部の一時停止を解除することを特徴とする請求項１に記載の電子機器。
【請求項５】
情報を書き込み可能な記録部と、
前記記録部に情報を書き込む書込実行部と、
ソフトウェアのインストール完了後に電子機器を再起動するソフトウェア更新部と、
前記ソフトウェア更新部を一時停止した後に、前記書込実行部に書き込みを開始させる更新制御部とを有することを特徴とする電子機器。
【請求項６】
前記書込実行部は、映像情報を前記情報として書き込むことを特徴とする請求項５に記載の電子機器。
【請求項７】
前記記録部は、ＤＶＤまたはＣＤを記録媒体として情報を書き込み可能であることを特徴とする請求項５に記載の電子機器。
【請求項８】
コンピュータを、
録画開始時刻を指定して番組の録画を予約する録画予約部と、
ソフトウェアのインストール完了後に電子機器を再起動するソフトウェア更新部と、
前記録画開始時刻より所定の時間前に、前記ソフトウェア更新部を一時停止する更新制御部として機能させることを特徴とする情報記録プログラム。
【発明の詳細な説明】
【技術分野】
【０００１】
本発明は、番組を記録可能な電子機器および情報記録プログラムに関し、特に番組の記録中に記録動作が中断されることを予防する電子機器および情報記録プログラムに関する。
【背景技術】
【０００２】
従来の技術として、予約録画タスクの起動時に、番組の記録先である記録部にアクセスしている他のタスクを一時停止して録画可能状態とすることで、録画開始時刻に確実に記録を開始可能にする電子機器がある（例えば、特許文献１参照）。
【０００３】
この電子機器は、番組の記録先である記録部が番組の記録以外の他のタスク、例えば記録データの移動またはコピーのためのタスクによりアクセスされているかどうか判断する判断手段と、他のタスクを停止させる停止手段とを有し、予約録画タスクの起動時に、番組の記録先である記録部が、他のタスクによりアクセスされていると判断手段が判断したとき、停止手段は、記録部にアクセスしている他のタスクを停止させ、記録部を予約録画タスクによる録画可能状態にすることができる。このため、この電子機器は録画開始時刻に記録を開始することができる。
【特許文献１】特開２００２−１５２６４０号公報
【発明の開示】
【発明が解決しようとする課題】
【０００４】
しかし、従来の電子機器によると、停止手段が停止対象としているのは記録部にアクセスしている他のタスクであり、記録部にアクセスしない他のタスク、例えば電子機器を再起動するようなタスクである場合には、そのタスクを停止できない。また、同時に予約録画タスクを実行できないため、必ずしも録画開始時刻に記録を開始可能にできるとは限らない。また、記録中に同様のタスクが発生した場合は、記録動作が中断される。
【０００５】
従って、本発明の目的は、番組録画の際に記録動作が中断されることを予防する電子機器および情報記録プログラムを提供することにある。
【課題を解決するための手段】
【０００６】
（１）本発明は上記目的を達成するため、録画開始時刻を指定して番組の録画を予約する録画予約部と、ソフトウェアのインストール完了後に電子機器を再起動するソフトウェア更新部と、前記録画開始時刻より所定の時間前に、前記ソフトウェア更新部を一時停止する更新制御部とを有することを特徴とする電子機器を提供する。
【０００７】
このような構成によれば、録画開始時刻より所定の時間前にソフトウェア更新部を一時停止することにより、録画中に電子機器が再起動されることによる記録の失敗を防ぐことができる。
【０００８】
（２）また、本発明は上記目的を達成するため、情報を書き込み可能な記録部と、前記記録部に情報を書き込む書込実行部と、ソフトウェアのインストール完了後に電子機器を再起動するソフトウェア更新部と、前記ソフトウェア更新部を一時停止した後に、前記書込実行部に書き込みを開始させる更新制御部とを有することを特徴とする電子機器を提供する。
【０００９】
このような構成によれば、情報書き込みの際にソフトウェア更新部を一時停止することにより、番組の録画だけでなく記録媒体への情報書き込みの失敗を防ぐことができる。
【００１０】
（３）また、本発明は上記目的を達成するため、コンピュータを、録画開始時刻を指定して番組の録画を予約する録画予約部と、ソフトウェアのインストール完了後に電子機器を再起動するソフトウェア更新部と、前記録画開始時刻より所定の時間前に、前記ソフトウェア更新部を一時停止する更新制御部として機能させることを特徴とする情報記録プログラムを提供する。
【００１１】
このような構成によれば、（１）と同様の効果を有するプログラムを達成できる。
【発明の効果】
【００１２】
本発明によれば、記録開始の遅れ、および記録中のデータ損失を防ぐことができる。
【発明を実施するための最良の形態】
【００１３】
以下に、本発明の電子機器および情報記録プログラムの実施の形態を、図面を参照して詳細に説明する。
【００１４】
〔第１の実施の形態〕
（電子機器の構成）
図１は、本発明の第１の実施の形態に関する電子機器としてのＰＣの斜視図である。
【００１５】
このＰＣ１は、本体部２０と可動部２１から構成され、ヒンジ部２１１により開閉自在に接続されている。本体部２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部１４０と、ポインティングデバイスとしてのタッチパッド１４１および決定スイッチ１４２とを有する。可動部２１は、文字や画像等を表示するカラー液晶表示パネル等の表示器からなる表示部１２を有する。
【００１６】
図２は、本発明の第１の実施の形態に関するＰＣの概略構成図である。
【００１７】
このＰＣ１は、情報処理の際に一時的に情報を記憶するメモリ１０と、外部より放送波を受信してチューニング可能なチューナ部１１と、文字や画像を表示する表示部１２と、表示部１２における画像表示に関する制御を行う表示制御部１２Ａと、音声情報を出力する音声出力部１３と、ユーザーの手操作等によりＰＣ１を操作するための図１に示す文字入力部１４０とタッチパッド１４１と決定スイッチ１４２とを含む操作部１４と、情報を読み書き自在に記録する記録部１５と、ＰＣ１の各部を制御する制御部１６と、外部と通信して情報を取得する通信部１７と、ＰＣ１の電源を管理する電源管理部１８とを有する。
【００１８】
記録部１５は、例えばハードディスクドライブであり、複数の情報とともに番組の録画予約に関する情報、例えば開始時刻、録画時間、放送チャンネル、録画品質等から構成される録画予約情報１５０を保有する。
【００１９】
制御部１６は、チューナ部１１によって受信したデジタル放送波をデコードして表示するとともに、記録部１５に記録可能で、記録部１５に保存された映像コンテンツを再生できる情報記録プログラムとしてのＴＶビュワ１６０を動作させることが可能である。また、制御部１６は、ＴＶビュワ１６０およびＰＣ１で動作する図示しないアプリケーションおよびオペレーティングシステムのバージョンを把握し、そのアップデートプログラムが存在する場合は通信部１７を介して外部より受信して、最新のバージョンのものへと更新するソフトウェア更新プログラム１６５を動作させることが可能である。また、ソフトウェア更新プログラム１６５は、ソフトウェアを更新した後、電源管理部１８にアクセスしてＰＣ１を再起動することでメモリ１０および記録部１５の一部をイニシャライズしてソフトウェア更新の作業を完了する。
【００２０】
図３は、本発明の第１の実施の形態に関するＴＶビュワの概略構成図である。
【００２１】
ＴＶビュワ１６０は、アプリケーションの表示を行うＧＵＩ（Ｇｒａｐｈｉｃ  Ｕｓｅｒ  Ｉｎｔｅｒｆａｃｅ）の処理を行うＧＵＩ処理モジュール１６１と、ＧＵＩ処理モジュール１６１と後述するストリーム処理モジュール１６３とを統括するアプリケーション制御用処理モジュール１６２と、映像信号をデコードするストリーム処理モジュール１６３とを有する。
【００２２】
アプリケーション制御用処理モジュール１６２は、開始時刻、録画時間、放送チャンネル、録画品質等を設定して番組の録画を予約できる録画予約部１６２Ａと、ソフトウェア更新プログラム１６５を制御してその動作を一時停止または停止再開する更新プログラム制御部１６２Ｂと、録画予約部１６２Ａの指示または後述する操作判断部１６２Ｄの指示に基づいて番組を情報として記録部１５に書き込む書込実行部１６２Ｃと、操作部１４の操作内容を各部への操作信号に変換する操作判断部１６２Ｄとを有する。
【００２３】
ストリーム処理モジュール１６３は、デコードが可能で、信号を受信する信号入力１６３Ｃと、映像信号を処理する映像処理１６３Ａと、音声信号を処理する音声処理１６３Ｂと、信号を出力する信号出力１６３Ｄとを有する。デコード時には、信号入力１６３Ｃがチューナ部１１および記録部１５から映像信号を受信し、映像処理１６３Ａが映像信号の映像成分を、音声処理１６３Ｂが映像信号の音声成分を処理すると、信号出力１６３Ｄは処理された映像信号を表示部１２と音声出力部１３に出力する。
【００２４】
（第１の動作）
以下に、本発明の第１の実施の形態におけるＰＣの動作を図１から図４を参照しつつ説明する。
【００２５】
各操作は操作部１４において行われ、各処理は制御部１６において実行される。制御部１６において処理が実行される際、メモリ１０は一時的にデータを記録することで処理を補助する。チューナ部１１は、外部よりデジタル放送波を受信し、受信した映像信号は、制御部１６によりデコードされ、表示制御部１２Ａにより表示部１２に表示される。また、映像信号の音声は音声出力部１３から出力される。録画時は、デジタル放送の映像信号は記録部１５に記録される。
【００２６】
ＴＶビュワ１６０は、操作部１４を入力操作することで操作判断部１６２Ｄを介して起動が可能で、開始時刻、録画時間、放送チャンネル、録画品質等を録画予約情報１５０として入力あるいは選択することで録画予約部１６２Ａによって番組の録画予約処理を実行することができる。録画予約処理実行後にＴＶビュワ１６０を終了しても、録画開始時刻前になると、自動でＴＶビュワ１６０が起動される。
【００２７】
図４は、本発明の第１の実施の形態に関するＰＣの動作を示すフローチャートである。
【００２８】
まず、予約した録画開始時刻Ｘ秒前、例えば３０秒前になると（Ｓ１１）、ＴＶビュワ１６０が起動し、更新プログラム制御部１６２Ｂは、ソフトウェア更新プログラム１６５を一時停止する（Ｓ１２）。ここで、一時停止とは、ソフトウェア更新プログラム１６５が動作している場合は、その動作を一時停止することとし、ソフトウェア更新プログラム１６５が待機中の場合は、ソフトウェア更新プログラム１６５がスケジュール機能を用いて起動する等の待機中動作を一時停止する。
【００２９】
次に、録画予約開始時刻になると（Ｓ１３）、録画予約部１６２Ａは、録画予約情報１５０を読み込んで、書込実行部１６２Ｃへコマンドを送信することで録画開始時刻に記録を始める（Ｓ１４）。次に、予約録画の停止時刻になると（Ｓ１５）、録画予約部１６２Ａは、書込実行部１６２Ｃへコマンドを送信することで録画を停止する（Ｓ１６）。次に、更新プログラム制御部１６２Ｂは、ソフトウェア更新プログラム１６５の一時停止を解除する（Ｓ１７）。
【００３０】
（第１の実施の形態の効果）
上記した本発明の第１の実施の形態によると、予約録画が開始する前にＰＣ１を再起動する可能性のあるソフトウェア更新プログラムを一時停止したため、録画開始直前または録画中にＰＣ１の再起動を防ぐことができ、記録の失敗および記録データの損失を防ぐことができる。
【００３１】
なお、電子機器としてＰＣの他に、携帯型の電子機器やＴＶ、ビデオ等、映像を表示する電子機器であれば同様の効果を得られる。
【００３２】
〔第２の実施の形態〕
（動作）
以下に、本発明の第２の実施の形態における電子機器および情報記録プログラムの動作を図５および各図を参照しつつ説明する。
【００３３】
図５は、本発明の第２の実施の形態に関するＰＣの動作を示すフローチャートである。なお、以下の説明において、第１の実施の形態と同一の構成および機能を有する部分については共通の符号を付している。
【００３４】
まず、ＰＣ１のユーザーが操作部１４に所定の操作を実行することによりＴＶビュワ１６０を起動し、録画開始操作を行うと（Ｓ２１）、操作判断部１６２Ｄは、更新プログラム制御部１６２Ｂにソフトウェア更新プログラム１６５を一時停止するよう命令する（Ｓ１２）。
【００３５】
次に、操作判断部１６２Ｄは、指定された番組を記録部１５に記録し始めるよう書込実行部１６２Ｃに命令する（Ｓ１３）。次に、ＰＣ１のユーザーが録画停止操作を行うと（Ｓ２２）、書込実行部１６２Ｃにより録画は停止される（Ｓ１５）。次に、更新プログラム制御部１６２Ｂは、ソフトウェア更新プログラム１６５の一時停止を解除する（Ｓ１６）。
【００３６】
（第２の実施の形態の効果）
上記した本発明の第２の実施の形態によると、ユーザーのマニュアル操作による録画においても、第１の実施の形態と同様に、録画開始直前または録画中にＰＣ１を再起動することを防ぐことができ、記録の失敗および記録データの損失を防ぐことができる。
【００３７】
なお、ＤＶＤやＣＤ等の記録媒体に書き込み可能な記録部を用意することで、録画に限らず、ＤＶＤやＣＤへのデータ書き込み作業についても同様の機能を実施するできる。この構成によれば、書き込みの失敗によるＤＶＤやＣＤの無駄が減少する。
【図面の簡単な説明】
【００３８】
【図１】本発明の第１の実施の形態に関する電子機器としてのＰＣの斜視図である。
【図２】本発明の第１の実施の形態に関するＰＣの概略構成図である。
【図３】本発明の第１の実施の形態に関するＴＶビュワの概略構成図である。
【図４】本発明の第１の実施の形態に関するＰＣの動作を示すフローチャートである。
【図５】本発明の第２の実施の形態に関するＰＣの動作を示すフローチャートである。
【符号の説明】
【００３９】
１…ＰＣ（パーソナルコンピュータ）、１０…メモリ、１１…チューナ部、１２Ａ…表示制御部、１２…表示部、１３…音声出力部、１４…操作部、１５…記録部、１６…制御部、１７…通信部、１８…電源管理部、２０…本体部、２１…可動部、１４０…文字入力部、１４１…タッチパッド、１４２…決定スイッチ、１５０…録画予約情報、１６０…ＴＶビュワ、１６１…ＧＵＩ処理モジュール、１６２…アプリケーション制御用処理モジュール、１６２Ａ…録画予約部、１６２Ｂ…更新プログラム制御部、１６２Ｃ…書込実行部、１６２Ｄ…操作判断部、１６３…ストリーム処理モジュール、１６３Ａ…映像処理、１６３Ｂ…音声処理、１６３Ｃ…信号入力、１６３Ｄ…信号出力、１６５…ソフトウェア更新プログラム、２１１…ヒンジ部
【図１】
2008054060.tif 000003
【図２】
2008054060.tif 000004
【図３】
2008054060.tif 000005
【図４】
2008054060.tif 000006
【図５】
2008054060.tif 000007